(57)【要約】【課題】ユーザによるチャンネルの選局に対して映像を表示制御するまでの時間を短縮する放送受信装置を提供する。【解決手段】放送受信装置は、第１のチャンネルの放送信号を受信する第１の受信手段と、前記第１のチャンネル以外の選局対象となるチャンネルの放送信号を切り替えて受信する第２の受信手段と、前記第１のチャンネルの選局を指示する信号が入力された場合、前記第１の受信手段で受信した放送信号に基づいて映像を表示制御し、前記第１のチャンネル以外のチャンネルの選局を指示する信号が入力された場合、前記第２の受信手段で受信した放送信号に基づいて映像を表示制御する表示制御手段とを有する。【選択図】    図１
2011166824.tif 000002
【特許請求の範囲】
【請求項１】
地上デジタル放送内の第１のチャンネルの放送信号を受信する第１の受信手段と、
前記第１のチャンネル以外の選局対象となる前記地上デジタル放送内のチャンネルの放送信号を切り替えて受信する第２の受信手段と、
放送種別ごとの各チャンネルの番組情報を並べたチャンネルリストを表示制御し、前記チャンネルリスト中の選局されているチャンネルにフォーカスが当たるように表示制御し、前記第１のチャンネルの選局を指示する信号が入力された場合、前記第１の受信手段で受信した放送信号に基づいて映像を表示制御し、前記第１のチャンネル以外のチャンネルの選局を指示する信号が入力された場合、前記第２の受信手段で受信した放送信号に基づいて映像を表示制御する表示制御手段と、
を有する放送受信装置。
【請求項２】
地上デジタル放送内の第１のチャンネルの放送信号を受信する第１の受信手段と、
選局対象となる前記地上デジタル放送内の全てのチャンネルの放送信号を切り替えて受信する第２の受信手段と、
放送種別ごとの各チャンネルの番組情報を並べたチャンネルリストを表示制御し、前記チャンネルリスト中の選局されているチャンネルにフォーカスが当たるように表示制御し、アップダウン選局により第２のチャンネルから前記第１のチャンネルへの切り替えを指示する信号が入力された場合、前記第１の受信手段で受信した放送信号に基づいて映像を表示制御し、前記第２の受信手段で受信する放送信号を前記第２のチャンネルから前記第１のチャンネルへ切り替え、前記第２の受信手段で受信した放送信号に基づく映像の表示制御の準備ができた後、前記第１の受信手段で受信した前記第１のチャンネルの放送信号に基づく映像から前記第２の受信手段で受信した前記第１のチャンネルの放送信号に基づく映像に切り替えて表示制御する表示制御手段と、
を有する放送受信装置。
【請求項３】
前記表示制御手段は、前記アップダウン選局により前記第１のチャンネルから前記第２のチャンネルへの切り替えを指示する信号が入力された場合、前記第１の受信手段で受信した放送信号に基づく映像の表示制御を維持し、前記第２の受信手段で受信する放送信号を前記第１のチャンネルから前記第２のチャンネルへ切り替え、前記第２の受信手段で受信した放送信号に基づく映像の表示制御の準備ができた後、前記第１の受信手段で受信した前記第１のチャンネルの放送信号に基づく映像から前記第２の受信手段で受信した前記第２のチャンネルの放送信号に基づく映像に切り替えて表示制御する請求項２記載の放送受信装置。
【請求項４】
前記表示制御手段は、各放送種別をシームレスにした前記チャンネルリストを表示制御する請求項１記載の放送受信装置。
【請求項５】
前記表示制御手段は、特定のチャンネルの表示および非表示設定に基づいて、前記チャンネルリストの表示を設定する請求項１記載の放送受信装置。
【請求項６】
前記表示制御手段は、前記第１の受信手段で受信した前記第１のチャンネルの放送信号に基づいて前記チャンネルリストに映像を表示する請求項１記載の放送受信装置。
【請求項７】
前記第１の受信手段で受信した放送信号に基づく映像または前記第２の受信手段で受信した放送信号に基づく映像を表示する表示手段を有する請求項１記載の放送受信装置。
【請求項８】
地上デジタル放送内の第１のチャンネルの放送信号を受信する第１の受信手段と前記第１のチャンネル以外の選局対象となる前記地上デジタル放送内のチャンネルの放送信号を切り替えて受信する第２の受信手段とを有する放送受信装置に適用する方法であって、
放送種別ごとの各チャンネルの番組情報を並べたチャンネルリストを表示制御し、
前記チャンネルリスト中の選局されているチャンネルにフォーカスが当たるように表示制御し、
前記第１のチャンネルの選局を指示する信号が入力された場合、前記第１の受信手段で受信した放送信号に基づいて映像を表示制御し、
前記第１のチャンネル以外のチャンネルの選局を指示する信号が入力された場合、前記第２の受信手段で受信した放送信号に基づいて映像を表示制御する、
映像表示方法。
【発明の詳細な説明】
【技術分野】
【０００１】
この発明は、チューナによる放送信号の選局に応じて映像を出力する技術に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
ユーザは、リモートコントローラを用いて視聴したいチャンネルを選択する。例えば、デジタルテレビジョン放送受信装置は、ＥＰＧ（Electric Program Guide）情報を受信し、ＥＰＧ画面を表示する。ユーザは、ＥＰＧ画面に表示されている番組情報を参照して、視聴したいチャンネルを選択する。デジタルテレビジョン放送受信装置は、チャンネル選択に基づいて放送信号を選局する。
【０００４】
この地上デジタル放送は、チャンネルを切り替えて放送信号を選局するたびに、放送信号の復調やデコード処理等に要する時間を必要とする。そのため、デジタルテレビジョン放送受信装置では、切り替えられたチャンネルの映像を出画するまでに待ち時間が発生している。
【０００５】
特許文献１には、複数のワンセグ放送用チューナとデジタル放送用チューナを有する放送受信装置において、チャンネルの切り替え時に、切り替えられたチャンネルの放送信号を選局しているワンセグ放送用チューナの出力に復調及びデコード処理して出力し、デジタル放送用チューナで選局された放送信号に対する復調及びデコード処理が終了した後、デジタル放送用チューナに基づく出力に切り替える構成が開示されている。
【先行技術文献】
【特許文献】
【０００６】
【特許文献１】特開２００９−１６９３３号公報
【発明の概要】
【発明が解決しようとする課題】
【０００７】
しかしながら、特許文献１では、ワンセグ放送用チューナに基づいて出力しているため、映像の画質に問題が生じる。特許文献１では、デジタル放送用チューナの選局を切り替えて最終的に視聴用の映像を取得しているため、制御が煩雑となる。さらに、特定のチャンネルの放送信号を選局するように設定されたワンセグ放送用チューナが放送受信装置に設けられていない場合、映像が出力されるまでに時間がかかるおそれがある。
【０００８】
そこで、この発明は、ユーザによるチャンネルの切り替えに対して映像を表示制御するまでの時間を短縮する放送受信装置を提供することを目的とする。
【課題を解決するための手段】
【０００９】
本発明に係る放送受信装置は、第１のチャンネルの放送信号を受信する第１の受信手段と、前記第１のチャンネル以外の選局対象となるチャンネルの放送信号を切り替えて受信する第２の受信手段と、前記第１のチャンネルの選局を指示する信号が入力された場合、前記第１の受信手段で受信した放送信号に基づいて映像を表示制御し、前記第１のチャンネル以外のチャンネルの選局を指示する信号が入力された場合、前記第２の受信手段で受信した放送信号に基づいて映像を表示制御する表示制御手段とを有する。
【発明の効果】
【００１０】
上記した発明によれば、ユーザによるチャンネルの切り替えに対して映像を表示制御するまでの時間を短縮する放送受信装置を提供できる。
【図面の簡単な説明】
【００１１】
【図１】第１の実施形態に係るデジタルテレビジョン放送受信装置の概略構成を示すブロック図。
【図２】第１の実施形態に係るデジタルテレビジョン放送受信装置に用いられるリモートコントローラの外観図。
【図３】第１の実施形態に係るチャンネル設定を示す画面図。
【図４】第１の実施形態に係るチャンネルリストを映像と共に表示した画面図。
【図５】第１の実施形態に係るアップダウン選局を説明するフローチャート。
【図６】第２の実施形態に係るアップダウン選局を説明するフローチャート。
【発明を実施するための最良の形態】
【００１２】
以下、図面を参照し、実施形態について説明する。図１は、第１の実施形態に係るデジタルテレビジョン放送受信装置１００の概略構成を示すブロック図である。すなわち、ＢＳ／ＣＳデジタル放送受信用のアンテナ４７で受信した衛星デジタルテレビジョン放送信号は、入力端子４８を介して衛星デジタル放送用チューナ４９に供給されることにより、所望のチャンネルの放送信号が選局される。
【００１３】
そして、衛星デジタル放送用チューナ４９で選局された放送信号は、ＰＳＫ（phase shift keying）復調モジュール５０に供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して第１の地上デジタル放送用チューナ５４に供給されることにより、所望のチャンネルの放送信号が選局される。第１の地上デジタル放送用チューナ５４で選局された放送信号は、第１のＯＦＤＭ（orthogonal frequency division multiplexing）復調モジュール５５に供給されて、デジタルの映像信号及び音声信号に復調された後、上記信号処理モジュール５１に出力される。
【００１５】
同様に、第２の地上デジタル放送用チューナ５６で選局された放送信号は、第２のＯＦＤＭ復調モジュール５７に供給されて、デジタルの映像信号及び音声信号に復調された後、上記信号処理モジュール５１に出力される。第３の地上デジタル放送用チューナ５８で選局された放送信号は、第３のＯＦＤＭ復調モジュール５９に供給されて、デジタルの映像信号及び音声信号に復調された後、上記信号処理モジュール５１に出力される。第４の地上デジタル放送用チューナ５８で選局された放送信号は、第４のＯＦＤＭ復調モジュール６０に供給されて、デジタルの映像信号及び音声信号に復調された後、上記信号処理モジュール５１に出力される。
【００１６】
なお、デジタルテレビジョン放送受信装置１００は、第１の地上デジタル放送用チューナ５４から第４の地上デジタル放送用チューナ６０を備えることにより、最大４チャンネルの地上デジタル放送信号を同時に選局することができる。第１の実施形態では、デジタルテレビジョン放送受信装置１００が、地上デジタル放送用チューナを４つ備えるケースについて説明するが、地上デジタル放送用チューナを５つ以上備える構成としてもよい。
【００１７】
上記信号処理モジュール５１は、ＰＳＫ復調モジュール５０、第１のＯＦＤＭ復調モジュール５５、第２のＯＦＤＭ復調モジュール５７、第３のＯＦＤＭ復調モジュール５９、第４のＯＦＤＭ復調モジュール６１からそれぞれ供給されたデジタルの映像信号及び音声信号に対して、選択的に所定のデジタル信号処理を施し、グラフィック処理モジュール５８及び音声処理モジュール６３に出力している。
【００１８】
また、上記信号処理モジュール５１には、複数（図示の場合は４つ）の入力端子６４ａ，６４ｂ，６４ｃ，６４ｄが接続されている。これら入力端子６４ａ〜６４ｄは、それぞれ、アナログの映像信号及び音声信号を、デジタルテレビジョン放送受信装置１００の外部から入力可能とするものである。
【００１９】
この信号処理モジュール５１は、各入力端子６４ａ〜６４ｄからそれぞれ供給されたアナログの映像信号及び音声信号を選択的にデジタル化し、そのデジタル化された映像信号及び音声信号に対して所定のデジタル信号処理を施した後、グラフィック処理モジュール６２及び音声処理モジュール６３に出力している。
【００２０】
このうち、グラフィック処理モジュール６２は、信号処理モジュール５１から供給されるデジタルの映像信号に、ＯＳＤ（on screen display）信号生成モジュール６５で生成されるＯＳＤ信号を重畳して出力する機能を有する。このグラフィック処理モジュール６４は、信号処理モジュール５１の出力映像信号と、ＯＳＤ信号生成モジュール６５の出力ＯＳＤ信号とを選択的に出力すること、また、両出力をそれぞれ画面の半分を構成するように組み合わせて出力することができる。
【００２１】
グラフィック処理モジュール６４から出力されたデジタルの映像信号は、映像処理モジュール６６に供給される。映像処理モジュール６６により処理された映像信号は、映像表示器１４に供給され、また出力端子６７にも供給される。映像表示器１４は、映像信号に基づく映像を表示し、出力端子６７に対して外部機器が接続されると、出力端子６７に供給された映像信号は、外部機器へ入力される。
【００２２】
また、上記音声処理モジュール６３は、入力されたデジタルの音声信号を、前記スピーカ１５で再生可能なフォーマットのアナログ音声信号に変換した後、スピーカ１５に出力して音声再生させるとともに、出力端子６８を介して外部に導出させる。
【００２３】
ここで、このデジタルテレビジョン受像機１００は、上記した各種の受信動作を含むその全ての動作を制御モジュール６９によって統括的に制御されている。この制御モジュール６９は、ＣＰＵ（central processing unit）等を内蔵しており、前記操作モジュール１６からの操作情報、または、リモートコントローラ１７から送出され受光モジュール１８を介して受信した操作情報を受けて、その操作内容が反映されるように各モジュールをそれぞれ制御している。リモートコントローラ１７は、図２に示すようにチャンネルのアップダウンキー１７ａ、カーソルキー（十字キー）１７ｂ、決定キー１７ｃ、選局キー１７ｄを有する。
【００２４】
制御モジュール６９は、主として、そのＣＰＵが実行する制御プログラムを格納したＲＯＭ（read only memory）７０と、該ＣＰＵに作業エリアを提供するＲＡＭ（random access memory）７１と、各種の設定情報及び制御情報等が格納される不揮発性メモリ７２とを利用している。
【００２５】
第１の実施形態では、第１の地上デジタル放送用チューナ５４、第２の地上デジタル放送用チューナ５６、第３の地上デジタル放送用チューナ５８、第４の地上デジタル放送用チューナ６０は、以下に示す放送局のチャンネルの放送信号を選局するように設定されている。
【００２６】
第２の地上デジタル放送用チューナ５６は、例えば放送局Ａのチャンネルの放送信号を常に選局するように設定されている。第３の地上デジタル放送用チューナ５８は、例えば放送局Ｂのチャンネルの放送信号を常に選局するように設定されている。第４の地上デジタル放送用チューナ６０は、例えば放送局Ｃのチャンネルの放送信号を常に選局するように設定されている。
【００２７】
第１の地上デジタル放送用チューナ５４は、第２の地上デジタル放送用チューナ５６、第３の地上デジタル放送用チューナ５８、第４の地上デジタル放送用チューナ６０で選局する放送局のチャンネルの放送信号以外の放送信号を選局する。つまり、信号処理モジュール５１は、放送局Ａ、Ｂ、Ｃのチャンネルの放送信号に基づく映像信号及び音声信号が裏処理として常に入力されている。
【００２８】
第２の地上デジタル放送用チューナ５６、第３の地上デジタル放送用チューナ５８、第４の地上デジタル放送用チューナ６０で選局する各放送信号のチャンネルは、ユーザが例えばリモートコントローラ１７を用いて設定する。ユーザがリモートコントローラ１７を用いてチャンネル設定画面の表示を選択すると、制御モジュール６９は、図３に示すチャンネル設定画面を映像表示器１４に表示制御する。ユーザは、リモートコントローラ１７のカーソルキー１７ｂを用いて所望のチャンネルを選択し、決定キー１７ｃを用いて決定する。図３は、ユーザが放送局Ａ、Ｂ、Ｃのチャンネルを選択した状態を示している。第１の実施形態では、ユーザは、最大で３つのチャンネルを選択できる。制御モジュール６９は、ユーザが選択したチャンネルを第２の地上デジタル放送用チューナ５６、第３の地上デジタル放送用チューナ５８、第４の地上デジタル放送用チューナ６０に割り当てる。
【００２９】
第２の地上デジタル放送用チューナ５６、第３の地上デジタル放送用チューナ５８、第４の地上デジタル放送用チューナ６０で選局する各放送信号は、制御モジュール６９によって視聴頻度が高いチャンネル順に所定期間毎に適宜変更して設定されてもよい。
【００３０】
図４は、アップダウン選局に用いるチャンネルリストを映像表示器１４に表示した画面図である。ユーザがリモートコントローラ１７のアップダウンキー１７ａを用いて放送局Ａ、放送局Ｂ、放送局Ｃ、放送局Ｄの昇順で選局する場合について説明する。
【００３１】
ここでは、映像表示器１４は、第２の地上デジタル放送用チューナ５６で選局された放送局Ａのチャンネルの放送信号を復調した映像信号に基づく映像を表示している。ユーザがリモートコントローラ１７を用いてアップダウン選局を開始すると、制御モジュール６９は、チャンネルリストを映像表示器１４に表示されている映像と共に表示制御する。
【００３２】
ここで、チャンネルリストとは、チャンネル番号、放送局名に加えて、現在放送中の番組情報を対応付けたチャンネル欄を連続するチャンネル順に並べた一覧である。チャンネルリストは、チャンネル欄をチャンネル番号の小さい順に並べている。チャンネルリストは、映像表示器１４の左側に縦方向に表示されているが、表示場所はこれに限られない。
【００３３】
ユーザは、アップダウンキー１７ａを用いて昇順または降順でチャンネルリスト上のフォーカス位置が所望のチャンネル欄と一致するように選択することができる。映像表示器１４に表示されているチャンネルリストに並べられたチャンネル欄の位置は固定であり、フォーカス位置はアップダウンキー１７ａの入力に基づいてチャンネル欄の間を上下に移動する。チャンネルリストが映像表示器１４に最初に表示された場合のフォーカス位置は、例えば、映像表示器１４に表示されている映像に対応するチャンネル欄である。
【００３４】
制御モジュール６９は、チャンネルリストを映像表示器１４に表示されている映像の一部または全部に対してＯＳＤ（on screen display）で覆っても、α合成のＯＳＤで覆うようにしてもよい。さらに、制御モジュール６９は、チャンネルリストの表示領域と映像の表示領域とを分離して映像表示器１４に表示制御してもよい。スピーカ１５は、映像表示器１４にチャンネルリストと共に表示されている映像に対応する音声を出力する。
【００３５】
制御モジュール６９は、チャンネルリストに表示するチャンネルごとの番組情報を以下のように作成する。制御モジュール６９は、放送信号に含まれるＳＩ（service information）からチャンネル情報と番組情報を取得する。
【００３６】
ＳＩは、番組選択のために規定された各種情報テーブルを有する。例えば、ＳＩは、ＳＤＴ(service description table)およびＥＩＴ(event information table)を有する。ＳＤＴは、例えばチャンネル番号と放送局の名称を全チャンネルについて対応付けた情報を記述している。制御モジュール６９は、チャンネル情報としてこの情報をＳＤＴから取得して、常に保持しつつ、適宜更新する。
【００３７】
ＥＩＴは、第２の地上デジタル放送用チューナ５６で選局されている放送信号に対応するチャンネルの番組情報である。ＥＩＴは、例えば、番組情報として番組の名称、開始時刻、内容、ジャンル、プログレスバーなど番組に関する情報を記述している。ＥＩＴは、ｐ（present）／ｆ(following)情報とスケジュール情報を含んでいる。
【００３８】
ｐ／ｆ情報は、例えば、第２の地上デジタル放送用チューナ５６で現在選局されている放送信号に対応する放送局Ａのチャンネルで放送中の番組の番組情報および次に放送予定の番組の番組情報である。スケジュール情報は、第２の地上デジタル放送用チューナ５６で現在選局されている放送信号に対応する放送局Ａのチャンネルにおける１週間先までの番組表および各番組の番組情報である。
【００３９】
地上デジタル放送は、例えば、第２の地上デジタル放送用チューナ５６が放送局Ａのチャンネルの放送信号を選局している場合、放送局Ａのチャンネルについてｐ／ｆ情報およびスケジュール情報を含むＥＩＴしか送信しない。第３の地上デジタル放送用チューナ５８、第４の地上デジタル放送用チューナ６０についても同様である。
【００４０】
制御モジュール６９は、ｐ／ｆ情報に含まれる最新の番組情報に基づいてチャンネルリストを作成する。制御モジュール６９は、ｐ／ｆ情報を取得していないチャンネルについては、スケジュール情報に記載されている番組情報に基づいてチャンネルリストを作成する。つまり、制御モジュール６９は、スケジュール情報よりもｐ／ｆ情報による番組情報を優先する。ここでは、地上デジタル放送の場合について説明したが、ＢＳ／ＣＳデジタル放送の場合も同様である。
【００４１】
この状態で、ユーザがアップダウンキー１７ａを用いて放送局Ａのチャンネルから放送局Ｂのチャンネルに切り替えると、チャンネルリストおけるフォーカス位置は、放送局Ａのチャンネル欄から放送局Ｂのチャンネル欄に移動する。
【００４２】
制御モジュール６９は、裏処理として第３の地上デジタル放送用チューナ５８で放送局Ｂのチャンネルの放送信号を選局し、信号処理モジュール５１で信号処理しているため、すぐに映像を映像表示器１４に表示制御する。したがって、映像表示器１４は、放送局Ａの番組の映像から放送局Ｂの番組の映像に待ち時間なく切り替えて表示できる。
【００４３】
同様に、ユーザがアップダウンキー１７ａを用いて放送局Ｂのチャンネルから放送局Ｃのチャンネルに切り替えると、チャンネルリストにおけるフォーカス位置は、放送局Ｂのチャンネル欄から放送局Ｃのチャンネル欄に移動する。制御モジュール６９は、裏処理として第４の地上デジタル放送用チューナ６０で放送局Ｃのチャンネルの放送信号を選局し、信号処理モジュール５１で信号処理しているため、すぐに映像を映像表示器１４に表示制御する。
【００４４】
次に、ユーザがアップダウンキー１７ａを用いて放送局Ｃのチャンネルから放送局Ｄのチャンネルに切り替えると、チャンネルリストおけるフォーカス位置は、放送局Ｃのチャンネル欄から放送局Ｄのチャンネル欄に移動する。
【００４５】
制御モジュール６９は、第１の地上デジタル放送用チューナ５４で選局する放送信号を放送局Ｄのチャンネルの放送信号に切り替えた後に信号処理モジュール５１で信号処理した映像信号に基づいて映像を映像表示器１４に表示制御する。
【００４６】
制御モジュール６９は、放送局Ｄの番組の映像を映像表示器１４に表示制御する準備ができる間、第４の地上デジタル放送用チューナ６０で選局した放送局Ｃのチャンネルの放送信号に基づく映像を映像表示器１４に表示制御した状態を保つようにしてもよい。
【００４７】
図５は、上記説明した第１の実施形態におけるアップダウン選局を説明するフローチャートである。ここで、第２の地上デジタル放送用チューナ５６、第３の地上デジタル放送用チューナ５８、第４の地上デジタル放送用チューナ６０で常に選局するように設定されたチャンネルそれぞれを第１のチャンネルとする。第２の地上デジタル放送用チューナ５６、第３の地上デジタル放送用チューナ５８、第４の地上デジタル放送用チューナ６０それぞれを第１のチャンネル用の地上デジタル放送用チューナとする。第１のチャンネル以外のチャンネルの放送信号を切り替えて選局する第１の地上デジタル放送用チューナ５４を第１のチャンネル以外用の地上デジタル放送用チューナとする。
【００４８】
はじめにユーザがアップダウンキー１７ａを用いてチャンネルを選択すると、制御モジュール６９は、ユーザが選択したチャンネルが第１のチャンネルか否かを判断する（ステップＳ１０１）。ユーザが選択したチャンネルが第１のチャンネルである場合（ステップＳ１０１、ＹＥＳ）、制御モジュール６９は、第１のチャンネル用の地上デジタル放送用チューナ及び対応するＯＦＤＭ復調モジュールに基づく映像を映像表示器１４に表示制御する（ステップＳ１０２）。
【００４９】
ユーザが選択したチャンネルが第１のチャンネルでない場合（ステップＳ１０１、ＮＯ）、制御モジュール６９は、ユーザが選択したチャンネルの放送信号を選局するように切り替えた第１のチャンネル以外用の地上デジタル放送用チューナ及び対応するＯＦＤＭ復調モジュールに基づく映像を映像表示器１４に表示制御する（ステップＳ１０３）。
【００５０】
したがって、第１の実施形態に係るデジタルテレビジョン放送受信装置１００は、選局において映像表示器１４がブラックアウトとなることを防ぐことができる。さらに、第１の実施形態によれば、ユーザがリモートコントローラ１７を用いて視聴するチャンネルを切り替える場合、映像表示器１４は、切り替えられたチャンネルによっては待ち時間なく映像を表示できる。
【００５１】
第１の実施形態では、チャンネルリストは、上記説明した地上デジタル放送の場合だけでなく、放送種別（地上デジタル放送／衛星デジタル放送やＴＶ／Ｒａｄｉｏなど）ごとに用いられる。チャンネルリストは、放送種別ごとに異なるリストであっても、各放送種別をシームレスにしたリストであってもよい。さらに、チャンネルリストは、ユーザが予め設定し、不揮発性メモリ６８に記録されているお好み登録したチャンネルのみを表示対象にしたり、スキップ設定したチャンネルを非表示にしたりしてもよい。
【００５２】
映像表示器１４は、チャンネルリストに第２の地上デジタル放送用チューナ５６、第３の地上デジタル放送用チューナ５８、第４の地上デジタル放送用チューナ６０で選局する放送信号に対応する放送局のチャンネルで放送されている映像（あるいは静止画）を対応するチャンネル欄に表示するようにしてもよい。
【００５３】
第１の実施形態では、リモートコントローラ１７によるチャンネルの選択は、アップダウンキー１７ａを用いたアップダウン選局以外に、カーソルキー１７ｄを用いたアップダウン選局であってもよい。また、チャンネルの選択は、選局キー１７ｄによるチャンネルの選択、３桁のチャンネル番号の入力による選択、ＥＰＧ画面によるチャンネルの選択のいずれであってもよい。ここでは、映像表示器１４は、アップダウン選局時に図４に示すようなチャンネルリストを表示する例について説明したが、チャンネルリストを表示しなくてもよい。
【００５４】
次に、第２の実施形態について説明する。第２の実施形態に係るデジタルテレビジョン放送受信装置１００は、図１に示す第２の実施形態に係るデジタルテレビジョン放送受信装置１００と同様の構成である。第２の実施形態では、第１の地上デジタル放送用チューナ５４は、視聴用チューナとして設定されている。つまり、ユーザがリモートコントローラ１７を用いて所望のチャンネルを選択した場合、映像表示器１４は、第１の地上デジタル放送用チューナ５４で選局された放送信号を復調した映像信号に基づく映像を表示する。
【００５５】
第２の地上デジタル放送用チューナ５６は、例えば放送局Ａのチャンネルの放送信号を常に選局するように設定されている。第３の地上デジタル放送用チューナ５８は、例えば放送局Ｂのチャンネルの放送信号を常に選局するように設定されている。第４の地上デジタル放送用チューナ６０は、例えば放送局Ｃのチャンネルの放送信号を常に選局するように設定されている。
【００５６】
ユーザがリモートコントローラ１７のアップダウンキー１７ａを用いて昇順または降順でチャンネルを選択した場合、制御モジュール６９は、視聴用チューナである第１の地上デジタル放送用チューナ５４で選局する放送信号を切り替える。
【００５７】
デジタルテレビジョン放送受信装置１００は、第１の地上デジタル放送用チューナ５４で選局する放送信号の切り替え、第１のＯＦＤＭ復調モジュール５５による放送信号の復調、信号処理モジュール５１によるデジタル信号処理に時間を要する。アップダウン選局は、これらによる信号処理がなされた後に昇順または降順による次のチャンネルへの切り替えが可能となる。
【００５８】
次に、ユーザがアップダウンキー１７ａを用いて放送局Ａ、放送局Ｂ、放送局Ｃ、放送局Ｄの昇順で選局する場合について説明する。第１の実施形態と同様に、映像表示器１４は、アップダウン選局時に、図４に示すチャンネルリスト表示する。ここでは、映像表示器１４は、第１の地上デジタル放送用チューナ５４で選局された放送局Ａのチャンネルの放送信号を復調した映像信号に基づく映像を表示している。
【００５９】
この状態で、ユーザがアップダウンキー１７ａを用いて放送局Ａのチャンネルから放送局Ｂのチャンネルに切り替えると、チャンネルリストおけるフォーカス位置は、放送局Ａのチャンネル欄から放送局Ｂのチャンネル欄に移動する。
【００６０】
制御モジュール６９は、裏処理として第３の地上デジタル放送用チューナ５８で放送局Ｂのチャンネルの放送信号を選局し、信号処理モジュール５１で信号処理しているため、すぐに映像を映像表示器１４に表示制御する。
【００６１】
制御モジュール６９は、第１の地上デジタル放送用チューナ５４による放送局Ｂのチャンネルの放送信号の選局ではなく、第３の地上デジタル放送用チューナ５８による放送局Ｂのチャンネルの放送信号の選局に基づく映像を映像表示器１４に表示制御している。
【００６２】
したがって、映像表示器１４は、遅滞なく放送局Ａのチャンネルの番組の映像から放送局Ｂのチャンネルの番組の映像に切り替えて表示できる。アップダウン選局における映像表示器１４への出画時間は短縮する。
【００６３】
ユーザが、放送局Ｂのチャンネル欄にフォーカス位置がある状態でリモートコントローラ１７の決定キー１７ｃを押下すると、制御モジュール６９は、放送局Ｂのチャンネルに対応する放送信号を選局するように第１の地上デジタル放送用チューナ５４を切り替える。
【００６４】
制御モジュール６９は、第１の地上デジタル放送用チューナ５４で放送局Ｂのチャンネルの放送信号の選局に基づく映像を映像表示器１４に表示制御する準備ができた後、第３の地上デジタル放送用チューナ５８ではなく第１の地上デジタル放送用チューナ５４で選局した放送局Ｂのチャンネルの放送信号に基づく映像に切り替えて映像表示器１４に表示制御する。
【００６５】
同様に、ユーザがアップダウンキー１７ａを用いて放送局Ｂのチャンネルから放送局Ｃのチャンネルに切り替えると、チャンネルリストおけるフォーカス位置は、放送局Ｂのチャンネル欄から放送局Ｃのチャンネル欄に移動する。制御モジュール６９は、裏処理として第４の地上デジタル放送用チューナ６０で放送局Ｃのチャンネルの放送信号を選局し、信号処理モジュール５１で信号処理しているため、すぐに映像を映像表示器１４に表示制御する。
【００６６】
次に、ユーザがアップダウンキー１７ａを用いて放送局Ｃのチャンネルから放送局Ｄのチャンネルに切り替えると、チャンネルリストおけるフォーカス位置は、放送局Ｃのチャンネル欄から放送局Ｄのチャンネル欄に移動する。制御モジュール６９は、第４の地上デジタル放送用チューナ６０で放送局Ｃのチャンネルの放送信号の選局に基づく映像を映像表示器１４に表示制御した状態を保つ。
【００６７】
つまり、制御モジュール６９は、デジタルテレビジョン放送受信装置１００に放送局Ｄのチャンネルの放送信号を常に選局するように設定された地上デジタル放送用チューナが設けられていないため、すぐに放送局Ｄのチャンネルの番組の映像を映像表示器１４に表示制御することはできない。したがって、ユーザが視聴したい放送局のチャンネル欄にフォーカス位置がある状態でリモートコントローラ１７の決定キー１７ｃを押下するまで、制御モジュール６９は、放送局Ｃのチャンネルの番組の映像を映像表示器１４に表示制御した状態を維持する。したがって、第２の実施形態に係るデジタルテレビジョン放送受信装置１００は、アップダウン選局において映像表示器１４がブラックアウトとなることを抑えることができる。
【００６８】
ユーザがアップダウンキー１７ａを用いてアップダウン選局を続行し、チャンネルリストおけるフォーカス位置を放送局Ａのチャンネル欄に戻すと、制御モジュール６９は、放送局Ｃのチャンネルの番組の映像から、第２の地上デジタル放送用チューナ５６で選局する放送局Ａのチャンネルの放送信号に基づく映像に切り替えて映像表示器１４に表示制御する。
【００６９】
ユーザが、放送局Ｄのチャンネル欄にフォーカス位置がある状態でリモートコントロー１７の決定キー１７ｃを押下すると、制御モジュール６９は、第１の地上デジタル放送用チューナ５４で放送局Ｄのチャンネルの放送信号を選局するように切り替える。映像表示器１４は、第４の地上デジタル放送用チューナ６０で選局する放送局Ｃのチャンネルの放送信号に基づく映像から、第１の地上デジタル放送用チューナ５４で選局する放送局Ｄのチャンネルの放送信号に基づく映像に切り替えて表示する。
【００７０】
ユーザが、放送局Ｄのチャンネル欄にフォーカス位置がある状態でリモートコントロー１７の決定キー１７ｃを押下しなくても、制御モジュール６９は、所定時間経過後、放送局Ｃのチャンネル番組の映像から放送局Ｄのチャンネルの放送信号の番組の映像に切り替えて映像表示器１４に表示制御するようにしてもよい。つまり、制御モジュール６９は、第１の地上デジタル放送用チューナ５４で放送局Ｄのチャンネルの放送信号の選局に基づく映像を映像表示器１４に表示制御する準備をする。その後、制御モジュール６９は、準備が完了すると、第４の地上デジタル放送用チューナ６０で選局する放送局Ｃのチャンネルの放送信号に基づく映像から、第１の地上デジタル放送用チューナ５４で選局する放送局Ｄのチャンネルの放送信号に基づく映像に切り替えて映像表示器１４に表示制御する。
【００７１】
また、制御モジュール６９は、ユーザがアップダウンキー１７ａを短押しした場合は
第１の地上デジタル放送用チューナ５４のみを用いてアップダウン選局し、ユーザがアップダウンキー１７ａを長押しした場合は上記説明したように第１の地上デジタル放送用チューナ５４、第２の地上デジタル放送用チューナ５６、第３の地上デジタル放送用チューナ５８、第４の地上デジタル放送用チューナ６０を用いてアップダウン選局するようにしてもよい。
【００７２】
図６は、上記説明した第２の実施形態におけるアップダウン選局を説明するフローチャートである。ここで、第１のチャンネルは、第１の実施形態と同様の意味とする。また、第１のチャンネル用の地上デジタル放送用チューナは、第１の実施形態と同様の意味とする。第１のチャンネルを含めた選局対象となるチャンネルの放送信号を切り替えて選局する第１の地上デジタル放送用チューナ５４を共通地上デジタル放送用チューナとする。
【００７３】
はじめにユーザがアップダウンキー１７ａを用いてチャンネルを選択すると、制御モジュール６９は、ユーザが選択したチャンネルが第１のチャンネルか否かを判断する（ステップＳ２０１）。ユーザが選択したチャンネルが第１のチャンネルである場合（ステップＳ２０１、ＹＥＳ）、制御モジュール６９は、第１のチャンネル用の地上デジタル放送用チューナ及び対応するＯＦＤＭ復調モジュールに基づく映像を映像表示器１４に表示制御する（ステップＳ２０２）。
【００７４】
次に、制御モジュール６９は、共通地上デジタル放送用チューナを第１のチャンネルの放送信号を選局するように切り替える。制御モジュール６９は、共通地上デジタル放送用チューナ及び対応するＯＦＤＭ復調モジュールで第１のチャンネルの放送信号に基づく映像を映像表示器１４に表示制御する準備ができたか否かを判断する（ステップ２０３）。
【００７５】
準備ができていない場合（ステップＳ２０３、ＮＯ）、制御モジュール６９は、ステップＳ２０２の動作を続行する。準備ができた場合（ステップＳ２０３、ＹＥＳ）、制御モジュール６９は、第１のチャンネル用の地上デジタル放送用チューナではなく共通地上デジタル放送用チューナで選局した第１のチャンネルの放送信号に基づく映像に切り替えて映像表示器１４に表示制御する（ステップＳ２０４）。
【００７６】
ユーザが選択したチャンネルが第１のチャンネルでない場合（ステップＳ２０１、ＮＯ）、制御モジュール６９は、共通地上デジタル放送用チューナをユーザが選択したチャンネルの放送信号を選局するように切り替え、共通地上デジタル放送用チューナで選局したチャンネルの放送信号に基づく映像を映像表示器１４に表示制御する（ステップＳ２０５）。  第２の実施形態によれば、アップダウン選局における映像表示器１４でのブラックアウトおよび出画時間の遅延を解消できる。
【００７７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７８】
１４…映像表示器、１７…リモートコントローラ、１７ａ…アップダウンキー、１７ｂ…カーソルキー、１７ｃ…決定キー、４９…衛星デジタル放送用チューナ、５４…第１の地上デジタル放送用チューナ、５６…第２の地上デジタル放送用チューナ、５８…第３の地上デジタル放送用チューナ、６０…第４の地上デジタル放送用チューナ、６９…制御モジュール、１００…デジタルテレビジョン放送受信装置。
【図１】
2011166824.tif 000003
【図２】
2011166824.tif 000004
【図３】
2011166824.tif 000005
【図４】
2011166824.tif 000006
【図５】
2011166824.tif 000007
【図６】
2011166824.tif 000008
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
地上デジタル放送内の少なくとも１つの特定チャンネルである第１のチャンネルの放送信号を受信する第１の受信手段と、
前記第１のチャンネル以外の選局対象となる前記地上デジタル放送内のチャンネルの放送信号を切り替えて受信する第２の受信手段と、
放送種別ごとの各チャンネルの番組情報を並べたチャンネルリストを表示制御し、前記チャンネルリスト中の選局されているチャンネルにフォーカスが当たるように表示制御し、前記第１のチャンネルの選局を指示する信号が入力された場合、前記第１の受信手段で受信した放送信号に基づいて映像を表示制御し、前記第１のチャンネル以外のチャンネルの選局を指示する信号が入力された場合、前記第２の受信手段で受信した放送信号に基づいて映像を表示制御する表示制御手段と、
を有する放送受信装置。
【請求項２】
地上デジタル放送内の少なくとも１つの特定チャンネルである第１のチャンネルの放送信号を受信する第１の受信手段と、
選局対象となる前記地上デジタル放送内の全てのチャンネルの放送信号を切り替えて受信する第２の受信手段と、
放送種別ごとの各チャンネルの番組情報を並べたチャンネルリストを表示制御し、前記チャンネルリスト中の選局されているチャンネルにフォーカスが当たるように表示制御し、アップダウン選局により第２のチャンネルから前記第１のチャンネルへの切り替えを指示する信号が入力された場合、前記第１の受信手段で受信した放送信号に基づいて映像を表示制御し、前記第２の受信手段で受信する放送信号を前記第２のチャンネルから前記第１のチャンネルへ切り替え、前記第２の受信手段で受信した放送信号に基づく映像の表示制御の準備ができた後、前記第１の受信手段で受信した前記第１のチャンネルの放送信号に基づく映像から前記第２の受信手段で受信した前記第１のチャンネルの放送信号に基づく映像に切り替えて表示制御する表示制御手段と、
を有する放送受信装置。
【請求項３】
前記表示制御手段は、前記アップダウン選局により前記第１のチャンネルから前記第２のチャンネルへの切り替えを指示する信号が入力された場合、前記第１の受信手段で受信した放送信号に基づく映像の表示制御を維持し、前記第２の受信手段で受信する放送信号を前記第１のチャンネルから前記第２のチャンネルへ切り替え、前記第２の受信手段で受信した放送信号に基づく映像の表示制御の準備ができた後、前記第１の受信手段で受信した前記第１のチャンネルの放送信号に基づく映像から前記第２の受信手段で受信した前記第２のチャンネルの放送信号に基づく映像に切り替えて表示制御する請求項２記載の放送受信装置。
【請求項４】
前記表示制御手段は、各放送種別をシームレスにした前記チャンネルリストを表示制御する請求項１記載の放送受信装置。
【請求項５】
前記表示制御手段は、特定のチャンネルの表示および非表示設定に基づいて、前記チャンネルリストの表示を設定する請求項１記載の放送受信装置。
【請求項６】
前記表示制御手段は、前記第１の受信手段で受信した前記第１のチャンネルの放送信号に基づいて前記チャンネルリストに映像を表示する請求項１記載の放送受信装置。
【請求項７】
前記第１の受信手段で受信した放送信号に基づく映像または前記第２の受信手段で受信した放送信号に基づく映像を表示する表示手段を有する請求項１記載の放送受信装置。
【請求項８】
前記第１のチャンネルの選択入力に基づいて、前記第１のチャンネルを前記第１の受信手段に割り当てる設定手段を有する請求項１記載の放送受信装置。
【請求項９】
地上デジタル放送内の少なくとも１つの特定チャンネルである第１のチャンネルの放送信号を受信する第１の受信手段と前記第１のチャンネル以外の選局対象となる前記地上デジタル放送内のチャンネルの放送信号を切り替えて受信する第２の受信手段とを有する放送受信装置に適用する方法であって、
放送種別ごとの各チャンネルの番組情報を並べたチャンネルリストを表示制御し、
前記チャンネルリスト中の選局されているチャンネルにフォーカスが当たるように表示制御し、
前記第１のチャンネルの選局を指示する信号が入力された場合、前記第１の受信手段で受信した放送信号に基づいて映像を表示制御し、
前記第１のチャンネル以外のチャンネルの選局を指示する信号が入力された場合、前記第２の受信手段で受信した放送信号に基づいて映像を表示制御する、
映像表示方法。
【請求項１０】
前記第１のチャンネルの選択入力に基づいて、前記第１のチャンネルを前記第１の受信手段に割り当てる請求項９記載の映像表示方法。